(57)【特許請求の範囲】
【請求項１】
作業ロータの上方を覆うシールドカバー本体部に対して上下回動可能に連結されて前記作業ロータの後側を覆うエプロン本体部と、
前記エプロン本体部の前記作業ロータ側に配置され、前記エプロン本体部よりも高強度を有し、耕耘地面に当接して整地する整地部材と、
前記エプロン本体部及び前記整地部材よりも前記作業ロータ側に配置され、前記シールドカバー本体部側の接合手段から前記整地部材側の接合手段にわたって前記エプロン本体部との間に空間を形成するように両持ち状態で配置されるカバー材と、を有し、
前記エプロン本体部は、第１直線部とエプロン本体廻込部とを含み、前記エプロン本体廻込部は、第２直線部と、当該第２直線部に接合された第３直線部と、前記第２直線部と前記第３直線部との間を繋ぐ円弧部とを含み、
前記整地部材は、前側方向位置から順に、第１整地直線部と、カーブ部と、第２整地直線部と、整地円弧部とを有するとともに、前記第１整地直線部が、前記カバー材と前記エプロン本体部との間で前記エプロン本体部に接合され、前記整地円弧部が、前記エプロン本体部に当該エプロン本体部の有する前記円弧部の形状に合わせて接合され、
前記カバー材と前記エプロン本体部との間には、前記カバー材と前記エプロン本体部とを接合する接合手段による間隙が設けられ、
前記カバー材の端部と前記第１整地直線部とは、前記間隙を隔てて略平行に設けられているエプロン部材。
【請求項２】
前記シールドカバー本体側の接合手段は、前記カバー材以外の他のカバー材をも接合しており、
前記他のカバー材の前側端部は自由端部としてシールドカバー本体部側に延びている請求項１に記載のエプロン部材。
【請求項３】
前記自由端部の先端は、前記作業ロータの回転空間内に位置する請求項２に記載のエプロン部材。                                                            
【発明の詳細な説明】
【技術分野】
【０００１】
本発明はトラクタの後部に昇降可能に装着され、作業ロータを備えるロータリ作業機において、作業ロータの後方側位置に設けられ、耕耘地面を整地するエプロン部材に関するものである。
【背景技術】
【０００２】
耕耘作業機のような、ロータリ軸の周りに複数の耕耘爪等の爪が突設された作業ロータを備えるロータリ作業機では、爪により土塊を撹拌・反転させながら、ワラ等をスキ込み、後方の整地板（エプロン）にて表面を整地していく必要がある。
また、このようなロータリ作業機で耕耘性能（特に砕土性・均平性）の向上を図る必要もある。
この要求を満たすために、作業ロータの上方にはシールドカバー本体部が固定される。
ここで、シールドカバー本体部はロータリ作業機の幅方向に張り出し、ロータリ軸に動力を伝達する伝動フレームと、ギアボックスを挟んで伝動フレームに連続する支持フレームに支持される。
【０００３】
シールドカバー本体部の内周面が直接、ロータリ軸に面する場合には、土砂はシールドカバー本体部の内周面（作業ロータ側の面）に付着することになる。
そして、この付着した土砂は回転する爪の抵抗になり、作業効率を低下させる問題を引き起こしてしまう。
そこで、特許文献１及び特許文献２では、シールドカバー本体部の内周面への土砂の付着と堆積を防止する目的で、シールドカバー本体部の内周面に土砂の付着を防止する板を固定する技術が開示されている。
【０００４】
ロータリ軸の回転に伴って爪が跳ね上げる土砂の付着先は爪（ロータリ軸）の回転の向きによって決まる。
例えば、爪が耕耘地面に対し、進行方向前方から後側へ向かって（ダウンカット）回転する場合には、爪は土砂を前方から後側へ掻き上げるため、土砂はシールドカバー本体部の後側に付着する場合が多い。
【０００５】
また、特許文献３には、土除け材を配置して、この土除け材に付着した土砂を土除け材を振動させることによって除去することも開示されている。
【０００６】
さらにまた、特許文献４には、エプロン本体部にステンレス鋼板を溶接によって固着し、エプロン本体部への土砂の付着を防止する技術も開示されている。
【０００７】
【特許文献１】特開平１１−９００２号公報
【特許文献２】実公平８−３２０５号公報
【特許文献３】特開２０１０−９９０３５号公報
【特許文献４】特開平７−２３６０４号公報
【発明の概要】
【発明が解決しようとする課題】
【０００８】
シールドカバー本体部の後側にエプロン部材が連結される場合には、土砂はこのエプロン部材にも多く付着し易いという事情がある。
しかし、特許文献１、特許文献２及び特許文献３の技術では、シールドカバー本体部への土砂の付着改善は図れるがエプロン本体部への土砂の付着を効果的に防止できないため改善が望まれていた。
また、エプロン部材は耕耘地面を整地する役割を有しており、このエプロン部材に傷が付いて凸凹となると整地が綺麗にできなくなってしまうが、エプロン部材は整地のために耕耘地面に常に接しているため傷が付きやすいという事情がある。
特許文献４の方法では、ステンレス鋼板をエプロン本体部へ溶接によって固着させているためこのステンレス鋼板に傷がついてもこれを容易に交換することができないという問題がある。
【０００９】
本発明の目的は、エプロン本体部への土砂の付着を防止するための整地部材の着脱が容易なロータリ作業機のエプロン部材を提供することにある。
【課題を解決するための手段】
【００１０】
本発明のエプロン部材は、作業ロータの上方を覆うシールドカバー本体部に対して上下回動可能に連結されて前記作業ロータの後側を覆うエプロン本体部と、前記エプロン本体部の前記作業ロータ側に配置され、耕耘地面に当接して整地する整地部材と、前記エプロン本体部の前記作業ロータ側に配置され、前記整地部材よりも前記作業ロータ側に配置されるカバー材と、を有し、前記整地部材は、前記エプロン本体部に対して接合部によって接合されて、前記エプロン本体部に対して着脱自在に形成されており、前記接合部と前記作業ロータとの間の位置に、前記カバー材の後側方向の端部である自由端部が位置する。
【００１１】
好適には、前記カバー材の前記自由端部は、前記整地部材と平行に形成され、かつ、自由端部と前記整地部材とはある程度の空間を隔てて形成されている。
【００１２】
好適には、前記カバー材は、前記シールドカバー本体側の接合手段及び前記整地部材側の接合手段によって両持ち状態で接合されている。
【００１３】
好適には、前記整地部材側の接合手段は、前記整地部材のシールドカバー本体部側の接合部の近傍に位置し、前記接合部は、係合以外の方法にて前記整地部材と前記エプロン本体部とを接合している。
【００１４】
前記シールドカバー本体側の接合手段は、前記カバー材以外の他のカバー材をも接合しており、前記他のカバー材の前側端部は自由端部としてシールドカバー本体部側に延びている。
【００１５】
好適には、前記カバー材は、高弾性を有する材料によって形成される。
【発明の効果】
【００１６】
本発明によると、エプロン本体部への土砂の付着を防止するための整地部材の着脱が容易なロータリ作業機のエプロン部材を提供することができる。
【図面の簡単な説明】
【００１７】
【図１】本発明の実施形態のエプロン部材が用いられているロータリ作業機のトラクタ側からの外観図である。
【図２】本発明の実施形態のエプロン部材が用いられているロータリ作業機のトラクタ側とは反対側からの外観図である。
【図３】作業ロータの外観図である。
【図４】ロータリ作業機を左側方向からみた断面説明図である。
【図５】エプロン部材の後方端部を拡大した説明図である。
【図６】第２の実施形態の説明図である。
【図７】第３の実施形態の説明図である。
【図８】第４の実施形態の説明図である。
【図９】第５の実施形態の説明図である。
【図１０】第６の実施形態の説明図である。
【発明を実施するための形態】
【００１８】
＜第１の実施形態＞
以下、図面を用いて本発明を実施するための最良の形態を説明する。
【００１９】
図１は、本発明の第１の実施形態のエプロン部材１が用いられているロータリ作業機１０のトラクタ側からの外観図である。
【００２０】
図１のロータリ作業機１０は、図示していないがトラクタによって牽引される。
トラクタは、図１中手前位置に配置されて、ロータリ作業機１０を牽引する。
ロータリ作業機１０は、トラクタ後部のトップリンクとロアリンクからなる３点リンクヒッチ機構に連結されるトップマスト１１と、２つのリンク連結部１２を備え、この３点リンクヒッチ機構を介してトラクタの後部に昇降可能に装着される。
ロータリ作業機１０は、作業ロータ５とその上方を覆うシールドカバー本体部２を備えている。
このシールドカバー本体部２には、第１のスリット２ａが形成されている。
【００２１】
トップマスト１１の下端部には、トラクタのＰＴＯ軸から図示しないユニバーサルジョイント等を介して連結される入力軸１３１を有するギアボックス１３が配置される。
このギアボックス１３からロータリ作業機１０の幅方向に伝動フレーム１４と支持フレーム１５が架設される。
ＰＴＯ軸からの動力は、ユニバーサルジョイントを介して入力軸１３１に伝達され、ギアボックス１３に入力される。
そして、このギアボックス１３によって、方向及び回転数が変化されて伝動フレーム１４の内部を挿通する伝動シャフトに伝達される。
【００２２】
伝動フレーム１４の先端部にはチェーンケース１６が垂下する形で固定される。
支持フレーム１５の先端にはチェーンケース１６に対向する端部カバー１７が固定される。
このチェーンケース１６と端部カバー１７との間に作業ロータ５のロータリ軸６が軸回りに回転自在に架設される。伝動シャフトとロータリ軸６間にはチェーンが張架され、チェーンを通じて伝動シャフトの動力がロータリ軸６に伝達される。
端部カバー１７の後側方向位置には、右側サイドシールド１８Ｒが配置されている。
【００２３】
なお、ここで、ロータリ作業機１０の耕耘方向（トラクタが配置される方向）を前側方向と定義する。また、その逆方向を、後側方向と定義する。
そして、ロータリ作業機１０が耕耘状況での上の方向を上側方向と定義する。また、その逆方向を、下側方向と定義する。
そして、後ろ側方向から見た場合の、右手側方向を右側方向と定義し、左手側方向を左側方向と定義する。
なお、ロータリ作業機１０は左右対称の部材が多く、その役割が同一のものは、同じ符号をつけその符号にＲ及びＬを付与することによって右側方向位置の部材と左側方向位置の部材とを区別する。ここで、右側方向位置及び左側方向位置の両部材が存在しているもののＲ又はＬが付与されていない符号の部材はその両方を意味する。
【００２４】
図２（ａ）は、本発明の実施形態のエプロン部材１が用いられているロータリ作業機１０のトラクタ側とは反対側からの外観図である。
また、図２（ｂ）は、本発明の実施形態のエプロン部材１の両側部を略三角状に切欠きその部分に着脱自在なカバーを設けた他のロータリ作業機１０のトラクタ側とは反対側からの外観図である。
【００２５】
図２のように、シールドカバー本体部２の後側方向には、このシールドカバー本体部２に上下回動可能に連結されたエプロン本体部３が形成される。
このエプロン本体部３は、作業ロータ５の後側方向を覆うように形成されている。また、エプロン本体部３は、その後側方向の端部が耕耘地面と接触し、耕耘地面を整地する役割を果たしている。
また、エプロン本体部３には、第２のスリット３ａが形成されている。この第２のスリット３ａは、図２（ａ）のように単一の貫通穴形状に形成されているものであっても、また、図２（ｂ）のように複数のスリット（窓）で形成されたものであってもよい。
そして、この第２のスリット３ａからは、エプロン本体部３の作業ロータ５側に配置された整地部材４が露出している。
この整地部材４は、その大部分がエプロン本体部３の作業ロータ５側に配置されているが、後側端部位置で、エプロン本体部３の作業ロータ５側からエプロン本体部３の作業ロータ５とは反対側に回り込んで形成されている。
整地部材４は、第２接合部１０３によってエプロン本体部３に接合されている。
ここで、この整地部材４とエプロン本体部３とを合わせてエプロン部材１という。
【００２６】
エプロン部材１の左側方向位置には、伝動フレーム１４、チェーンケース１６にボルト等で一体化された左側サイドシールド１８Ｌが配置されている。
この左側サイドシールド１８Ｌは、チェーンケース１６の後方側に形成されている。
エプロン部材１の右側方向位置には、支持フレーム１５、端部カバー１７にボルト等で一体化された右側サイドシールド１８Ｒが配置されている。
この右側サイドシールド１８Ｒは、端部カバー１７の後方側に形成されている。
【００２７】
エプロン本体部３の左側方向位置には、このエプロン本体部３とボルト等で一体化される左側エプロンサイドプレート１９Ｌが配置されている。
なお、図示されていないが、エプロン本体部３の右側方向位置には、右側エプロンサイドプレート１９Ｒも配置されている。
そして、左側エプロンサイドプレート１９Ｌ及び右側エプロンサイドプレート１９Ｒは、左側サイドシールド１８Ｌ及び右側サイドシールド１８Ｒよりも内部側に配置されている。また、左側エプロンサイドプレート１９Ｌ及び右側エプロンサイドプレート１９Ｒは、左側サイドシールド１８Ｌ及び右側サイドシールド１８Ｒと平行に配置されている。
【００２８】
エプロンサイドプレート１９及びサイドシールド１８は、作業ロータ５によって耕耘された土砂がその耕耘幅よりも右側方向及び左側方向に飛び出すことを防ぐ目的で設けられる。
【００２９】
図３は、作業ロータ５の外観図である。
【００３０】
図３のように、作業ロータ５は、ロータリ軸６とこれとボルト等で一体化された爪７から形成されている。
ロータリ軸６の外周には周方向に適度な間隔を置いて耕耘爪等の爪７が突設される。爪７は主にナタ爪であるが、耕耘地面の土砂を撹拌・反転・掻き上げる機能を有すれば、代掻き用や砕土用等の爪も含む。
なお、図３は、図１とほぼ同一の方向からの外観図である。
【００３１】
図４は、ロータリ作業機１０を左側方向からみた断面説明図である。
この図４における作業ロータ５´は、図１及び図３における作業ロータ５とは、耕耘爪の取り付け方法等が一部異なるが、耕耘機能その他は同一のため説明上、作業ロータ５として以下に説明する。
【００３２】
図４のように、作業ロータ５の爪７の回転範囲を覆い、ロータリ作業機１０を土砂から保護するシールドカバー本体部２が配置される。
このシールドカバー本体部２がその周方向に配列する複数枚のカバー材２１を備えている。
このカバー材２１は、耕耘方向から、第１カバー材２１ａ、第２カバー材２１ｂ、第３カバー材２１ｃ、第４カバー材２１ｄ、第５カバー材２１ｅの順に配置されている。
第１カバー材２１ａは第１接合手段２２１ａによって、第２カバー材２１ｂは第２接合手段２２１ｂによって、第３カバー材２１ｃは第３接合手段２２１ｃによって、シールドカバー本体部２によって接合されている。
第４カバー材２１ｄは第４接合手段２２１ｄによって、第５カバー材２１ｅは第５接合手段２２１ｅによって、エプロン本体部３に接合されている。
第４接合手段２２１ｄは、第５カバー材２１ｅも接合している。
ここで、第１接合手段２２１ａ、第２接合手段２２１ｂ、第３接合手段２２１ｃ、第４接合手段２２１ｄ及び第５接合手段２２１ｅは、例えば、ボルト等の締結手段であってよいし、ビス等であってよい。さらに、例えば、着脱時に弾性力によって撓んで、着脱後にその撓みが元に戻ることによって、係合する方法であっても良い。
【００３３】
第１カバー材２１ａは、第１接合手段２２１ａに接合された部分から前側方向（作業ロータ５の回転方向下流側）に第１自由端部１２１ａを有している。
第２カバー材２１ｂは、第２接合手段２２１ｂに接合された部分から前側方向（作業ロータ５の回転方向下流側）に第２自由端部１２１ｂを有している。
第３カバー材２１ｃは、第３接合手段２２１ｃに接合された部分から前側方向（作業ロータ５の回転方向下流側）に第３自由端部１２１ｃを有している。
第４カバー材２１ｄは、第４接合手段２２１ｄに接合された部分から前側方向（作業ロータ５の回転方向下流側）に第４自由端部１２１ｄを有している。
第５カバー材２１ｅは、第５接合手段２２１ｅに接合された部分よりも、第４接合手段２２１ｄとは反対側方向（後側方向）に第５自由端部１２１ｅを有している。
そして、この第５自由端部１２１ｅの作業ロータ５とは反対側位置に整地部材４を接合する第２接合部１０３が設けられている。
第１自由端部１２１ａ、第２自由端部１２１ｂ、第３自由端部１２１ｃ及び第４自由端部１２１ｄは、第１のスリット２ａに挿入される棒などによって振動される。
また、第１自由端部１２１ａ、第２自由端部１２１ｂ、第３自由端部１２１ｃ及び第４自由端部１２１ｄは作業ロータ５の回転空間内にその先端が侵入状態となりうる。
そのため、作業ロータ５が回転する際に爪７が、第１自由端部１２１ａ、第２自由端部１２１ｂ、第３自由端部１２１ｃ及び第４自由端部１２１ｄに接触し、第１自由端部１２１ａ、第２自由端部１２１ｂ、第３自由端部１２１ｃ及び第４自由端部１２１ｄが振動する。
この振動によって、第１カバー材２１ａ、第２カバー材２１ｂ、第３カバー材２１ｃ及び第４カバー材２１ｄに付着した土砂がふるい落される。
ところで、シールドカバー本体部２とエプロン本体部３との間の連結する部分（接続部３１）には、回転可能とする構造を有しており、その周囲に土砂が付着しやすい。
その部分を第４カバー材２１ｄが覆うことによって、土砂の付着を防ぐことが可能となる。
また、第４自由端部１２１ｄは容易に振動させることが可能であり、この振動によって、第４自由端部１２１ｄに付着した土砂をふるい落とすことが可能となる。
さらに、同様に、土砂の付着しやすい接合部、例えば第１接合手段２２１ａ、第２接合手段２２１ｂ、第３接合手段２２１ｃ、第２接合部１０３に対して、第２自由端部１２１ｂ、第３自由端部１２１ｃ、第４自由端部１２１ｄ、第５自由端部１２１ｅが覆うことによって土砂の付着を防ぐことが可能となる。
【００３４】
第５カバー材２１ｅは、第４カバー材２１ｄを接合する前側方向位置の第４接合手段２２１ｄと、後側方向位置の第５接合手段２２１ｅによって両持ちでエプロン部材１に接合されている。
【００３５】
カバー材２１は、ゴム等の弾性力が高い（高弾性を有する）材質から形成し、容易に振動及び変形可能に形成されている。
このように、カバー材２１が容易に振動及び変形することから、付着した土砂を容易にふるい落とすことが可能となる。
【００３６】
シールドカバー本体部２には、第１のスリット２ａ（図１も参照のこと）が貫通溝形状に形成されており、
この第１のスリット２ａは、第２カバー材２１ｂをシールドカバー本体部２にボルト等で接合する接合部と、第３カバー材２１ｃをシールドカバー本体部２にボルト等で接合する接合部との間の位置に形成されている。
この第１のスリット２ａから、シールドカバー本体部２の外部位置から直接に第３カバー材２１ｃ等が目視することが可能である。そして、この第１のスリット２ａに棒などを挿入し、直接に第３カバー材２１ｃ等を振動等させることが可能である。
そして、この振動等によって、第３カバー材２１ｃ等に付着した土砂を払い落すことが可能となっている。
【００３７】
ここで、作業ロータ５´を説明すると、爪７´はロータリ軸６´の軸方向には互いに干渉しない程度の間隔を置いて取り付けフランジに配置される。
ロータリ軸６´の軸方向に隣接する爪７´は軸の中心に関して互いに角度が付いて配列し、ロータリ軸６´の全体では爪７´の先端部が図４に示す円弧を描く。
作業ロータ５´はロータリ軸６´とその外周に突設された爪７´から構成され、作業ロータ５は耕耘ロータになる。
【００３８】
シールドカバー本体部２の、後端側には作業ロータ５の後側を覆うエプロン本体部３が伝動フレーム１４の軸と平行な接続部３１の回りに回動自在に連結される。
エプロン本体部３の表面側、すなわち作業ロータ５の反対側の面にはエプロン本体部３の耕耘地面との接地圧を適度に保つためと、エプロン本体部３を押圧調整あるいは跳ね上げた状態に保持するためのコンプレッションロッド２８が接続される。
【００３９】
コイルスプリング２８ａの一端（上端）は、その軸方向に摺動可能な係止部２８ｂに係止される。
また、コイルスプリング２８ａの他端（下端）は、コンプレッションロッド２８の軸方向に移動可能で、任意の位置で停止可能なストッパ２９に係止される。
ここで、コイルスプリング２８ａは常に圧縮力を負担した状態にあるような状態にしてある。
ストッパ２９にはエプロン本体部３が接続され、ストッパ２９はエプロン本体部３の回転に伴い、コンプレッションロッド２８に沿って移動する。
【００４０】
ロータリ作業機１０の作業時には図４に示すようにコイルスプリング２８ａが係止部２８ｂと停止状態のストッパ２９に係止した状態にあり、係止部２８ｂをコイルスプリング２８ａの反力に応じて軸方向に摺動することで、エプロン本体部３の耕耘地面との接地圧を調整する。
エプロン本体部３の跳ね上げ時には、ストッパ２９がコンプレッションロッド２８の上端側へ移動させられて停止させられることで、エプロン本体部３の跳ね上げ状態を維持する。
【００４１】
なお、図４の状態は、爪７が通過する最下点のレベルよりエプロン本体部３の下端のレベルが例えば２００ｍｍ程度上に位置する場合での作業ロータ５の作業時の様子を示している。
エプロン本体部３の下端のレベルはコンプレッションロッド２８の係止部２８ｃの位置を調整することにより自由に設定される。
【００４２】
図５は、エプロン部材１の後方端部を拡大した説明図である。
【００４３】
図５のようにエプロン本体部３には、直線状の第１直線部３ｇに続く後側方向位置に第２のスリット３ａが形成されている。
この第２のスリット３ａのさらに後側方向位置には、滴の断面のような断面形状を有するエプロン本体廻込部３ｂが形成されている。
エプロン本体廻込部３ｂは、ほぼ直線の断面形状を有し、耕耘地面Ｇと接触し整地作用をする第２直線部３ｃを有する。
また、エプロン本体廻込部３ｂは、第２直線部３ｃに連続し、円状にカーブする形状で、約２２５°方向を変更する円弧部３ｄを有する。
さらに、エプロン本体廻込部３ｂは、円弧部３ｄに連続し、直線形状で、第２直線部３ｃに接する位置まで伸びる第３直線部３ｅを有する。
加えて、エプロン本体廻込部３ｂは、第３直線部３ｅに連続し、直線形状で、第２直線部３ｃに平行して伸び、第２直線部３ｃの前側方向端部と同じ位置まで伸びる接合部３ｆを有する。
第２のスリット３ａがあることから明確ではないが、第２のスリット３ａが無い部分では、第１直線部３ｇと第２直線部３ｃとは連続している。そして、第１直線部３ｇと第２直線部３ｃとはそれぞれの延長線を想定し、第１直線部３ｇと第２直線部３ｃの延長線の交点位置において、第１直線部３ｇと第２直線部３ｃとは約１３５°の角度となっている。
【００４４】
エプロン本体廻込部３ｂは、このように、連続して滴の断面のような断面形状を有していることから、簡便な製造が可能な構造としつつ、エプロン本体部３の後側方向端部の強度を高めることが可能である。
また、エプロン本体廻込部３ｂがあることから、簡易な構造によって、第１接合部１０１を構成することが可能となる。
また、エプロン本体廻込部３ｂは、円弧部３ｄを形成することによって、円弧部３ｄに加工硬化が起こり、容易な方法でより強度を増すことが可能である。
【００４５】
ここで、第３直線部３ｅと接合部３ｆとは鈍角となるように形成されている。
このように第３直線部３ｅと接合部３ｆとは鈍角となるように形成されていることから、第３直線部３ｅと接合部３ｆとの接続部分に土砂が入り込むことを防ぐことが可能となる。
また、このように第３直線部３ｅと接合部３ｆとは鈍角となるように形成されていることから、万一付着した土砂も容易に除去することが可能となる。
【００４６】
整地部材４は、前側方向位置から順に、直線状の第１整地直線部４ａと、カーブ部４ｂと、略直線状の第２整地直線部４ｃと、円形にカーブする形状の整地円弧部４ｄとを有する。
直線状の第１整地直線部４ａと略直線状の第２整地直線部４ｃのそれぞれの延長線を想定し、第１整地直線部４ａと第２整地直線部４ｃの延長線の交点位置において、第１整地直線部４ａと第２整地直線部４ｃとは約１３５°の角度となっている。
そして、カーブ部４ｂはこの第１整地直線部４ａと第２整地直線部４ｃとを緩やかにカーブするように接続している。
このカーブは、第１直線部３ｇと第２直線部３ｃとを接続するカーブと平行にカーブしている。
また、整地円弧部４ｄは、円形にカーブしているが、そのカーブは約１８０°程度で終了している。
また、整地円弧部４ｄのカーブは、円弧部３ｄのカーブと平行にカーブしている。
【００４７】
エプロン本体部３と整地部材４とはボルト等の接合手段によって構成される第２接合部１０３によって一体になるように接合されている。より具体的には、第１直線部３ｇと第１整地直線部４ａの部分で接合されている。
【００４８】
また、エプロン本体部３と整地部材４は、後側方向の端部位置である第１接合部１０１において係合状態となっている。ここで係合とは、特に、ボルト等の締結によらず、引っ掛かることによって接合していることをいう。
より具体的には、エプロン本体部３と整地部材４は、円弧部３ｄと整地円弧部４ｄとが同じカーブで平行に一定の長さ接合して係合している。
【００４９】
この第１接合部１０１での係合と、第２接合部１０３の接合によって、エプロン本体部３と整地部材４とが一体化しつつ、この第２接合部１０３を非接合状態とするだけで一体化を解除することができる。
ところで、第２接合部１０３は、容易な方法でエプロン本体部３と整地部材４を着脱自在（接合及び解除が可能）とするようなものであればどのような物であっても良い、例えば、ボルト・ナット等の締結するような接合部（接合手段）によって接合するものであっても良い。さらに、例えば、着脱時に弾性力によって撓んで、着脱後にその撓みが元に戻ることによって、係合する方法であっても良い（図６〜図７参照のこと）。
【００５０】
また、第２のスリット３ａから、エプロン本体部３の外部位置から直接に整地部材４を目視することが可能である。そして、この第２のスリット３ａに棒などを挿入し、直接に整地部材４を振動等させることが可能である。
そして、この振動等によって、整地部材４に付着した土砂を払い落すことが可能となっている。
また、第２のスリット３ａが形成されている部分は、整地部材４のカーブ部４ｂ部分に対応している。そして、耕耘地面Ｇを整地する際には、このカーブ部４ｂは耕耘地面Ｇと直接接する部分となる場合が多い。そのため、この整地部材４のカーブ部４ｂには、多くの土砂が付着するおそれがある。
そこで、第２のスリット３ａは、その土砂が多く付着するおそれの高いカーブ部４ｂに対応する部分に設けられ、第２のスリット３ａから付着した土砂を振動によって落下等させることが可能となっている。
さらにまた、エプロン本体部３は、第２のスリット３ａの分だけ部材の量が少なく形成することができるので、エプロン本体部３を軽量に構成することが可能である。
【００５１】
また、エプロン本体部３は、この第２のスリット３ａ等の穴開け加工、曲げ加工、溶接等の複雑な加工がなされる部材である。したがって、エプロン本体部３は、ステンレス等の高強度、低付着性の材料で構成することは加工上不都合がある場合がある。
そのため、エプロン本体部３とは別に整地部材４を設け、この整地部材４のみをステンレス等の高強度部材から構成することが適切である。
そこで、本実施形態では、エプロン本体部３とは別に整地部材４を設け、この整地部材４のみをステンレス等の高強度部材から構成したことから、エプロン本体部３の加工の容易性を維持しつつ、整地部材４を高強度とすることが可能となっている。
【００５２】
また、整地部材４は、第１整地直線部４ａと、カーブ部４ｂと、第２整地直線部４ｃとの順に構成されており、これによって、スムーズに耕耘地面Ｇを整地することが可能となる。
つまり、第１整地直線部４ａ又はカーブ部４ｂで非整地の状態の耕耘地面Ｇと接触する。そして、整地部材４の表面が徐々（連続的に）に後側方向に向いていくことから、耕耘地面Ｇの土砂がよりスムーズに後側方向に流れていくことが可能となる。
【００５３】
第５カバー材２１ｅは、第５接合手段２２１ｅよりも後側方向に延びる、第５自由端部１２１ｅを有している。
この第５自由端部１２１ｅは、第２接合部１０３を作業ロータ５側から覆う位置まで延びている。
換言すると、この第５自由端部１２１ｅは、作業ロータ５からは第２接合部１０３を目視できない位置にまで伸びており、第２接合部１０３と作業ロータ５との間の位置に、第５カバー材２１ｅの後側端部である第５自由端部１２１ｅが位置する。
この第５自由端部１２１ｅがあることによって、比較的土砂が付着しやすい位置に存在し、かつ、比較的土砂の付着しやすい形状を有する第２接合部１０３を第５カバー材２１ｅによって覆い、土砂の付着を防ぐことができる。
また、この第５自由端部１２１ｅと第１整地直線部４ａとは略平行に形成されており、かつ、この第５自由端部１２１ｅと第１整地直線部４ａとはある程度の空間を隔てて形成されている。
そのため、第５自由端部１２１ｅと第１整地直線部４ａとの間に、後側方向（下側方向）から工具等がアプローチ可能な空間を有している。
この空間から、第２接合部１０３のボルト等に容易にスパナ等の工具を挿入することができる。そして、このスパナ等の工具によって第２接合部１０３での接合を容易に解除することができる。この第２接合部１０３での接合を容易に解除することができることから、整地部材４をより容易に着脱することが可能となる。
【００５４】
図５のように、第５カバー材２１ｅは、第４接合手段２２１ｄ及び第５接合手段２２１ｅによって両持ち状態で接合されていることから、他のカバー材２１よりも比較的長く形成されている第５カバー材２１ｅが所定の位置からずれることが防止される。
また、第５接合手段２２１ｅは、第２接合部１０３の近傍に位置していることから、第５自由端部１２１ｅの位置がずれて、第２接合部１０３が作業ロータ５に対して露出することが無いようになっている。
【００５５】
整地部材４は、作業ロータ５がはね上げた土砂が衝突する部材である。また、整地部材４は、耕耘地面Ｇを均一で綺麗な面に整地する役割をも有している。
そのため、整地部材４には多くの土砂が付着する可能性が高い、そこで、整地部材４は、表面がエプロン本体部３よりも土砂に対して低付着性を有していることが望ましい。
また、整地部材４は、耕耘地面Ｇを均一で綺麗な面に整地する役割を有していることから、エプロン本体部３よりも土砂に高強度を有していた方がより好適である。
なぜなら、整地の際に耕耘地面Ｇによって変形が起こる可能性があるからである。また、土砂中には多くの石が含まれておりこれが整地部材４に凹み、傷を付けるからである。さらに、整地部材４に変形、凹み、傷等があると、耕耘地面Ｇの整地表面に凸凹等が生じ綺麗な整地面とならないからである。
そこで、整地部材４は、高強度、かつ、低付着性を有するステンレスなどが用いられる。なお、ステンレスが好適であるにすぎず、このような性質を有する他の材質であっても良いことはいうまでもない。
さらに、必要に応じて、例えば、フッ素コーティング、ダイアモンドライクコーティング等をさらに行って、これらの性能をより満たすようにしても良い。
また、低付着性、又は、高強度を満たさない材質で整地部材４を構成して、例えば、フッ素コーティング、ダイアモンドライクコーティング等を行って、これらの性能を満たすようにしても良い。
【００５６】
＜本発明の第２の実施形態＞
図６は、第２の実施形態の説明図である。
【００５７】
第２の実施形態は、第１の実施形態と基本的に同一であり、その部分については説明を省略する（以下の、実施形態についても同様とする）。
図６のように、接合手段は、整地部材４とエプロン本体部３との第２接合部１０３が、着脱時に弾性力によって撓んで着脱後にその撓みが元に戻る第１係止部材１０３ａのようなものから構成されていてもよい。
【００５８】
＜本発明の第３の実施形態＞
図７は、第３の実施形態の説明図である。
【００５９】
図７のように、接合手段は、整地部材４とエプロン本体部３との第２接合部１０３を除去し、着脱時に弾性力によって撓んで着脱後にその撓みが元に戻る第２係止部材１０３ｂを、整地部材４の前側端部に設けることによってもよい。
【００６０】
＜本発明の第４の実施形態＞
図８は、第４の実施形態の説明図である。
【００６１】
図８のように、接合手段は整地部材４とエプロン本体部３との第２接合部１０３が、エプロン本体部３に貫通穴を設け、この貫通穴に断面Ｚ型に形成した整地部材４の前方端部１０３ｃを挿入する構成であっても良い。
さらに、この構成では、図８のように、整地部材４の回り込んだ後方端部を弾性変形可能に形成し、この弾性力で、エプロン本体部３と整地部材４とを接合状態としても良い。
【００６２】
＜本発明の第５の実施形態＞
図９は、第５の実施形態の説明図である。
【００６３】
図９のように、接合手段は整地部材４とエプロン本体部３との第２接合部１０３が第１の実施形態と同様であり、第１接合部１０１を、エプロン本体部３に貫通穴を設け、この貫通穴に断面Ｚ型に形成した整地部材４の後方端部を挿入する構成であっても良い。
【００６４】
＜本発明の第６の実施形態＞
図１０は、第６の実施形態の説明図である。
【００６５】
図１０のように、接合手段は、整地部材４とエプロン本体部３との第２接合部１０３が、エプロン本体部３に貫通穴を設け、この貫通穴に断面Ｚ型に形成した整地部材４の前方端部１０３ｃを挿入する構成であっても良い。
さらに、この構成では、図１０のように、整地部材４の回り込んだ後方端部でボルト・ナット等接合部材によって接合しても良い。
【００６６】
＜実施形態の効果＞
本実施形態のエプロン部材１は、作業ロータ５の上方を覆うシールドカバー本体部２に対して上下回動可能に連結されて作業ロータ５の後側を覆うエプロン本体部３と、エプロン本体部３の作業ロータ５側に配置され、耕耘地面に当接して整地する整地部材４と、エプロン本体部３の作業ロータ５側に配置され、整地部材４よりも作業ロータ５側に配置される第５カバー材２１ｅと、を有し、整地部材４は、エプロン本体部３に対して第２接合部１０３によって接合されて、エプロン本体部３に対して着脱自在に形成されており、第２接合部１０３と作業ロータ５との間の位置に、第５カバー材２１ｅの後側方向の反対側位置の端部である第５自由端部１２１ｅが位置する。
このように構成したことから、整地部材４を交換するための第２接合部１０３に土砂が付着して、整地部材４を交換する際に作業が困難になるということがない。
また、第２接合部１０３が土砂によって腐食等して、整地部材４を交換する際に作業が困難になることが無い。
【００６７】
第５カバー材２１ｅの第５自由端部１２１ｅは、整地部材４と平行に形成され、かつ、第５自由端部１２１ｅと整地部材４とはある程度の空間を隔てて形成されている。
このような構成を有することから、この空間から、第２接合部１０３のボルト等に容易にスパナ等の工具を挿入することができる。そして、このスパナ等の工具によって第２接合部１０３での接合を容易に解除することができる。この第２接合部１０３での接合を容易に解除することができることから、整地部材４をより容易に着脱することが可能となる。
【００６８】
第５カバー材２１ｅは、シールドカバー本体部２側の第４接合手段２２１ｄ及び整地部材４側の第５接合手段２２１ｅによって両持ち状態で接合されている。
このような構成を有することから、他のカバー材２１よりも比較的全長が長く形成されている第５カバー材２１ｅが所定の位置からずれることが防止することが可能となる。
【００６９】
整地部材４側の第５接合手段２２１ｅは、整地部材４のシールドカバー本体部２側の第２接合部１０３の近傍に位置し、第２接合部１０３は、係合以外の方法にて整地部材４とエプロン本体部３とを接合している。
このような構成を有することから、第５自由端部１２１ｅの位置がずれて、第２接合部１０３が作業ロータ５に対して露出することが無いようになっている。
【００７０】
シールドカバー本体部２側の第４接合手段２２１ｄは、第５カバー材２１ｅ以外の他の第４カバー材２１ｄをも接合しており、他の第４カバー材２１ｄの前側端部は第４自由端部１２１ｄとしてシールドカバー本体部２側に延びている。
このような構成を有することから、シールドカバー本体部２とエプロン本体部３との間の連結する部分（接続部３１）に土砂が付着することを防ぐことができる。
つまり、シールドカバー本体部２とエプロン本体部３との間の連結する部分（接続部３１）には、回動可能とする構造を有しており、その周囲に土砂が付着しやすい。その部分を第４カバー材２１ｄが覆うことによって、土砂の付着を防ぐことが可能となる。また、第４自由端部１２１ｄは容易に振動させることが可能であり、この振動によって第４自由端部１２１ｄに付着した土砂をふるい落とすことが可能となる。
【００７１】
第５カバー材２１ｅは、高弾性を有する材料によって形成される。
このような構成を有することから、カバー材２１が容易に振動及び変形することから、付着した土砂を容易にふるい落とすことが可能となる。
【００７２】
なお、上記説明においては、シールドカバー本体部２に第１カバー材２１ａ、第２カバー材２１ｂ、第３カバー材２１ｃを配置した構成のロータリ作業機１０としたが、シールドカバー本体部２に亘って１つだけのカバー材を配置した構成のロータリ作業機１０、あるいは、シールドカバー本体部２に１つのカバー材を配置するとともにエプロン本体部３にも１つのカバー材を配置した構成のロータリ作業機であっても、本発明を適用することができる。
また、本発明は以上の実施形態に限定されるものではなく、様々な変化した構造、構成を有していても良い。
【００７３】
＜定義等＞
本発明における接合とは、ボルト・ナット等による締結接合、ビスなどによる接合、接着剤による接合、時に弾性力によって撓んで、着脱後にその撓みが元に戻ることによってなされる係合、単に引っ掛かることによって接合する係合、等を含む。つまり、本発明における接合とは、２つ以上の部材を一体化することが可能なものであればどのようなものであってもよい。
本発明における接合とは、着脱後にその撓みが元に戻ることによってなされる係合（係止）、単に引っ掛かることによって接合（係止）するものをいう。
【符号の説明】
【００７４】
１        エプロン部材
２        シールドカバー本体部
２ａ      第１のスリット
３        エプロン本体部
３ａ      第２のスリット
３ｂ      エプロン本体廻込部
４        整地部材
５        作業ロータ
２１      カバー材
２１ｅ    第５カバー材（カバー材）
１０１    第１接合部（整地部材の係合部）
１０３    第２接合部（整地部材の締結部）
１２１ｅ  第５自由端部（第５カバー在の自由端部）
２２１ｄ  第４接合手段（第４カバー材の接合手段）
２２１ｅ  第５接合手段（第５カバー材の接合手段）
Ｇ        耕耘地面
Ｌ        整地地面
【図１】
0005936723.tif 000002
【図２】
0005936723.tif 000003
【図３】
0005936723.tif 000004
【図４】
0005936723.tif 000005
【図５】
0005936723.tif 000006
【図６】
0005936723.tif 000007
【図７】
0005936723.tif 000008
【図８】
0005936723.tif 000009
【図９】
0005936723.tif 000010
【図１０】
0005936723.tif 000011